(57)【要約】    【課題】      通信端末装置同士において、着信した通話相手の音声により本人確認を確実に行うことを可能にし、悪意のある者との通話を未然に防止すること。    【解決手段】  ユーザ指定入力部２０１をキー操作して通話相手を指定すると、ユーユーザ指定信号が音声データサンプル保存部２０２に出力される。通信部２０５では、携帯電話装置１００から受信した受信音声信号が音声照合部２０３に出力される。音声データサンプル保存部２０２では、ユーザ指定入力部２０１から入力されたユーザ指定信号に応じて、対応する音声サンプルデータが読み出され、該当サンプル信号として音声照合部２０３に出力される。音声照合部２０３では、音声データサンプル保存部２０２から入力された該当サンプル信号と、通信部２０５から入力された受信音声信号とが照合され、その照合結果が照合結果信号として表示部２０４に出力される。  【選択図】      図２
2005184618.tif 000002
【特許請求の範囲】
【請求項１】
通信端末装置に搭載される音声認証装置であって、
複数の通話相手毎に音声サンプルを保存する保存手段と、
着信した通話相手を指定する指定手段と、
前記指定手段により指定された通話相手の音声サンプルを前記保存手段から読み出し、受信した通話相手の音声と照合し、照合結果を出力する照合手段と、
前記照合手段から出力された照合結果を通知する通知手段と、
を備えたことを特徴とする音声認証装置。
【請求項２】
通信端末装置とリモート端末装置とから構成される音声認証システムであって、
前記通信端末装置は、
着信した通話相手を指定する指定手段と、
前記指定手段により指定された通話相手の情報と前記通話相手の受信音声を前記リモート端末装置に送信する送信手段と、
前記リモート端末装置から送信される前記通話相手の照合結果を受信して通知する通知手段と、を備え、
前記リモート端末装置は、
複数の通話相手毎に音声サンプルを保存する保存手段と、
前記通信端末装置から送信される通話相手の情報と前記通話相手の受信音声を受信する受信手段と、
前記受信手段により受信された通話相手の情報により前記保存手段から該当する通話相手の音声サンプルを読み出し、前記通話相手の受信音声と照合して照合結果を出力する照合手段と、
前記照合手段から出力された照合結果を前記通信端末装置に送信する送信手段と、
を備えたことを特徴とする音声認証システム。
【請求項３】
通信端末装置とリモート端末装置とから構成される音声認証システムであって、
前記通信端末装置は、
複数の通話相手毎に音声サンプルを保存する保存手段と、
着信した通話相手を指定する指定手段と、
前記指定手段により指定された通話相手の音声サンプルを前記保存手段から読み出し、前記通話相手の受信音声とともに前記リモート端末装置に送信する送信手段と、
前記リモート端末装置から送信される前記通話相手の照合結果を受信して通知する通知手段と、を備え、
前記リモート端末装置は、
前記通信端末装置から送信される通話相手の音声サンプルと前記通話相手の受信音声を受信する受信手段と、
前記受信手段により受信された通話相手の音声サンプルと前記通話相手の受信音声を照合して照合結果を出力する照合手段と、
前記照合手段から出力された照合結果を前記通信端末装置に送信する送信手段と、
を備えたことを特徴とする音声認証システム。
【請求項４】
通信端末装置とリモート端末装置とから構成される音声認証システムであって、
前記通信端末装置は、
着信した通話相手を指定する指定手段と、
前記通話相手の情報を前記リモート端末装置に送信する送信手段と、
前記送信した前記通話相手の情報に応じて、前記リモート端末装置から送信される当該通話相手の音声サンプルを受信する受信手段と、
前記受信手段により受信された通話相手の音声サンプルを前記通話相手の受信音声と照合して、照合結果を出力する照合手段と、
前記照合手段から出力された照合結果を通知する通知手段と、を備え、
前記リモート端末装置は、
複数の通話相手毎に音声サンプルを保存する保存手段と、
前記通信端末装置から送信される通話相手の情報を受信する受信手段と、
前記受信された通話相手の情報に該当する通話相手の音声サンプルを前記保存手段から読み出して前記通信端末装置に送信する送信手段と、
を備えたことを特徴とする音声認証システム。
【請求項５】
前記通信端末装置において、
前記送信手段は、前記リモート端末装置に送信する情報を暗号化し、
前記通知手段は、前記リモート端末装置から受信する暗号化情報を復号化し、
前記リモート端末装置において、
前記受信手段は、前記リモート端末装置から受信する暗号化情報を復号化し、
前記送信手段は、前記通信端末装置に送信する情報を暗号化することを特徴とする請求項２〜４のいずれか一項に記載の音声認証システム。
【請求項６】
前記リモート端末装置において、
前記送信手段は、前記照合手段から出力された照合結果として、前記通話相手の音声サンプルと前記受信音声サンプルとが一致しない場合は、該通話相手が本人でない旨を示す警報情報を外部のセキュリティ組織に通報することを特徴とする請求項２〜４のいずれか一項に記載の音声認証システム。
【請求項７】
前記通信端末装置において、
前記受信手段は、前記照合手段から出力された照合結果として、前記通話相手の音声サンプルと前記受信音声サンプルとが一致しない場合は、該通話相手との会話の記録を開始することを特徴とする請求項２〜４のいずれか一項に記載の音声認証システム。
【請求項８】
通信端末装置に着信する通話相手の音声を認証する音声認証方法であって、
複数の通話相手毎に音声サンプルを保存手段に保存する保存ステップと、
着信した通話相手を指定する指定ステップと、
前記指定された通話相手の音声サンプルを前記保存手段から読み出し、受信した通話相手の音声と照合し、照合結果を出力する照合ステップと、
前記照合結果を通知する通知ステップと、
を有することを特徴とする音声認証方法。
【請求項９】
通信端末装置とリモート端末装置とから構成される通信システムにおいて、前記通信端末装置に着信する通話相手の音声を認証する音声認証方法であって、
前記通信端末装置は、
着信した通話相手を指定する指定ステップと、
前記指定された通話相手の情報と前記通話相手の受信音声を前記リモート端末装置に送信する送信ステップと、
前記リモート端末装置から送信される前記通話相手の照合結果を受信して通知する通知ステップと、を有し、
前記リモート端末装置は、
複数の通話相手毎に音声サンプルを保存手段に保存する保存ステップと、
前記通信端末装置から送信される通話相手の情報と前記通話相手の受信音声を受信する受信ステップと、
前記受信された通話相手の情報により前記保存手段から該当する通話相手の音声サンプルを読み出し、前記通話相手の受信音声と照合して照合結果を出力する照合ステップと、
前記照合結果を前記通信端末装置に送信する送信ステップと、
を有することを特徴とする音声認証方法。
【請求項１０】
通信端末装置とリモート端末装置とから構成される通信システムにおいて、前記通信端末装置に着信する通話相手の音声を認証する音声認証方法であって、
前記通信端末装置は、
複数の通話相手毎に音声サンプルを保存手段に保存する保存ステップと、
着信した通話相手を指定する指定ステップと、
前記指定された通話相手の音声サンプルを前記保存手段から読み出し、前記通話相手の受信音声とともに前記リモート端末装置に送信する送信ステップと、
前記リモート端末装置から送信される前記通話相手の照合結果を受信して通知する通知ステップと、を有し、
前記リモート端末装置は、
前記通信端末装置から送信される通話相手の音声サンプルと前記通話相手の受信音声を受信する受信ステップと、
前記受信された通話相手の音声サンプルと前記通話相手の受信音声を照合して照合結果を出力する照合ステップと、
前記照合結果を前記通信端末装置に送信する送信ステップと、
を有することを特徴とする音声認証方法。
【請求項１１】
通信端末装置とリモート端末装置とから構成される通信システムにおいて、前記通信端末装置に着信する通話相手の音声を認証する音声認証方法であって、
前記通信端末装置は、
着信した通話相手を指定する指定ステップと、
前記通話相手の情報を前記リモート端末装置に送信する送信ステップと、
前記送信した前記通話相手の情報に応じて、前記リモート端末装置から送信される当該通話相手の音声サンプルを受信する受信ステップと、
前記受信手段により受信された通話相手の音声サンプルを前記通話相手の受信音声と照合して、照合結果を出力する照合ステップと、
前記照合結果を通知する通知ステップと、を有し、
前記リモート端末装置は、
複数の通話相手毎に音声サンプルを保存手段に保存する保存ステップと、
前記通信端末装置から送信される通話相手の情報を受信する受信ステップと、
前記受信された通話相手の情報に該当する通話相手の音声サンプルを前記保存手段から読み出して前記通信端末装置に送信する送信ステップと、
を有することを特徴とする音声認証方法。
【発明の詳細な説明】
【技術分野】
【０００１】
本発明は、通話者の音声を認識して通話者個人を認証する音声認証装置、音声認証システム及び音声認証方法に関する。
【背景技術】
【０００２】
従来、携帯電話において、通話相手を特定する技術として、例えば、着信時に相手電話番号を表示させる携帯端末に搭載されたアプリケーションを利用して、予め登録された電話番号であれば相手の名前や特定の画像が表示される、又は特定の着信音が流れるようにしたものがある。
【０００３】
また、従来、通話相手を個人認証する技術として、例えば、特許文献１に開示された移動体通信における個人認証システム及び個人認証装置がある。このシステム及び装置では、管理センタのサーバから携帯端末にサービスを提供する際に実行する個人認証の都度、サーバから携帯端末に所定の文章情報を送信し、この文章情報に従い携帯端末のユーザが発生する音声により個人認証を行うことにより、他人による成りすましを防止するようにしている。
【特許文献１】特開２００３−８７８６０号公報
【発明の開示】
【発明が解決しようとする課題】
【０００４】
しかしながら、従来のアプリケーションを利用した通話相手を特定する場合は、通話相手の確認を相手の電話番号表示と、相手の声のユーザによる認識に頼っているため、知らない（携帯電話に記憶されていない）電話番号からの電話でも、家族や知人の名前を名乗られると音声のみで判断することになり、悪意のある者からの通話により、被害を被ることがあるという問題がある。
【０００５】
また、移動体通信における個人認証システム及び個人認証装置の場合は、予め登録されたユーザの音声と、個人認証の都度、サーバから送信される所定の文章情報に従い携帯端末ユーザが発生する音声とを照合することで個人認証を行っているだけであり、サーバと携帯端末の間でしか個人認証ができず、通信端末同士で通話相手を個人認証することができず、悪意のある通話相手との通話を防止することはできない。
【０００６】
本発明はかかる点に鑑みてなされたものであり、着信した通話相手の任意の音声をサンプリングして個人認証して本人確認を行い、着信した通話相手が本人か否かを確実に認識することを可能にして、悪意のある者との通話を未然に防止する音声認証装置、音声認証システム及び音声認証方法を提供することを目的とする。
【課題を解決するための手段】
【０００７】
本発明の音声認証装置は、通信端末装置に搭載される音声認証装置であって、複数の通話相手毎に音声サンプルを保存する保存手段と、着信した通話相手を指定する指定手段と、前記指定手段により指定された通話相手の音声サンプルを前記保存手段から読み出し、受信した通話相手の音声と照合し、照合結果を出力する照合手段と、前記照合手段から出力された照合結果を通知する通知手段と、を備えた構成を採る。
【０００８】
この構成によれば、通信端末装置同士において、着信した通話相手の音声により本人確認を確実に行うことができ、悪意のある者との通話を未然に防止することができる。
【０００９】
本発明の音声認証システムは、通信端末装置とリモート端末装置とから構成される音声認証システムであって、前記通信端末装置は、着信した通話相手を指定する指定手段と、前記指定手段により指定された通話相手の情報と前記通話相手の受信音声を前記リモート端末装置に送信する送信手段と、前記リモート端末装置から送信される前記通話相手の照合結果を受信して通知する通知手段と、を備え、前記リモート端末装置は、複数の通話相手毎に音声サンプルを保存する保存手段と、前記通信端末装置から送信される通話相手の情報と前記通話相手の受信音声を受信する受信手段と、前記受信手段により受信された通話相手の情報により前記保存手段から該当する通話相手の音声サンプルを読み出し、前記通話相手の受信音声と照合して照合結果を出力する照合手段と、前記照合手段から出力された照合結果を前記通信端末装置に送信する送信手段と、を備えた構成を採る。
【００１０】
この構成によれば、通信端末装置同士において、着信した通話相手の音声により本人確認を確実に行うことができ、悪意のある者との通話を未然に防止することができる。また、音声サンプルと音声照合機能をリモート端末装置側に持たせるため、音声照合機能のアップグレードと音声サンプルの蓄積を容易にすることができるとともに、通信端末装置のリソースをほとんど用いることなく、通信端末装置の小型・軽量化を維持することができる。
【００１１】
本発明の音声認証システムは、通信端末装置とリモート端末装置とから構成される音声認証システムであって、前記通信端末装置は、複数の通話相手毎に音声サンプルを保存する保存手段と、着信した通話相手を指定する指定手段と、前記指定手段により指定された通話相手の音声サンプルを前記保存手段から読み出し、前記通話相手の受信音声とともに前記リモート端末装置に送信する送信手段と、前記リモート端末装置から送信される前記通話相手の照合結果を受信して通知する通知手段と、を備え、前記リモート端末装置は、前記通信端末装置から送信される通話相手の音声サンプルと前記通話相手の受信音声を受信する受信手段と、前記受信手段により受信された通話相手の音声サンプルと前記通話相手の受信音声を照合して照合結果を出力する照合手段と、前記照合手段から出力された照合結果を前記通信端末装置に送信する送信手段と、を備えた構成を採る。
【００１２】
この構成によれば、通信端末装置同士において、着信した通話相手の音声により本人確認を確実に行うことができ、悪意のある者との通話を未然に防止することができる。また、リモート端末装置側に音声照合機能を持たせたため、複数の通信端末装置ユーザが音声照合アプリケーションを共有することができ、音声照合機能のアップグレードや変更を容易にすることができる。
【００１３】
本発明の音声認証システムは、通信端末装置とリモート端末装置とから構成される音声認証システムであって、前記通信端末装置は、着信した通話相手を指定する指定手段と、前記通話相手の情報を前記リモート端末装置に送信する送信手段と、前記送信した前記通話相手の情報に応じて、前記リモート端末装置から送信される当該通話相手の音声サンプルを受信する受信手段と、前記受信手段により受信された通話相手の音声サンプルを前記通話相手の受信音声と照合して、照合結果を出力する照合手段と、前記照合手段から出力された照合結果を通知する通知手段と、を備え、前記リモート端末装置は、複数の通話相手毎に音声サンプルを保存する保存手段と、前記通信端末装置から送信される通話相手の情報を受信する受信手段と、前記受信された通話相手の情報に該当する通話相手の音声サンプルを前記保存手段から読み出して前記通信端末装置に送信する送信手段と、を備えた構成を採る。
【００１４】
この構成によれば、通信端末装置同士において、着信した通話相手の音声により本人確認を確実に行うことができ、悪意のある者との通話を未然に防止することができる。また、リモート端末装置側に音声データサンプル保存機能を備えたため、複数の通信端末装置ユーザが音声サンプル保存機能を共有することができ、通信端末装置側に音声サンプルを保存するためのメモリを省略することができ、通信端末装置が搭載するメモリ容量を削減することができる。
【００１５】
本発明の音声認証システムは、請求項２〜４のいずれか一項に記載の音声認証システムにおいて、前記通信端末装置において、前記送信手段は、前記リモート端末装置に送信する情報を暗号化し、前記通知手段は、前記リモート端末装置から受信する暗号化情報を復号化し、前記リモート端末装置において、前記受信手段は、前記リモート端末装置から受信する暗号化情報を復号化し、前記送信手段は、前記通信端末装置に送信する情報を暗号化する構成を採る。
【００１６】
この構成により、情報内容が第三者に漏洩することを防止することができ、音声認証システムを適用した通信システムの信頼性を向上させることができる。
【００１７】
本発明の音声認証システムは、請求項２〜４のいずれか一項に記載の音声認証システムにおいて、前記リモート端末装置において、前記送信手段は、前記照合手段から出力された照合結果として、前記通話相手の音声サンプルと前記受信音声サンプルとが一致しない場合は、該通話相手が本人でない旨を示す警報情報を外部のセキュリティ組織に通報する構成を採る。
【００１８】
この構成により、音声認証システムを防犯にも役立てることができ、音声認証システムを適用した通信システムの信頼性を更に向上させることができる。
【００１９】
本発明の音声認証システムは、請求項２〜４のいずれか一項に記載の音声認証システムにおいて、前記通信端末装置において、前記受信手段は、前記照合手段から出力された照合結果として、前記通話相手の音声サンプルと前記受信音声サンプルとが一致しない場合は、該通話相手との会話の記録を開始する構成を採る。
【００２０】
この構成により、通話が犯罪行為であった場合に証拠として記録内容を採用することが容易にできる。
【００２１】
本発明の音声認証方法は、通信端末装置に着信する通話相手の音声を認証する音声認証方法であって、複数の通話相手毎に音声サンプルを保存手段に保存する保存ステップと、着信した通話相手を指定する指定ステップと、前記指定された通話相手の音声サンプルを前記保存手段から読み出し、受信した通話相手の音声と照合し、照合結果を出力する照合ステップと、前記照合結果を通知する通知ステップと、を有する。
【００２２】
この方法により、通信端末装置同士において、着信した通話相手の音声により本人確認を確実に行うことができ、悪意のある者との通話を未然に防止することができる。
【００２３】
本発明の音声認証方法は、通信端末装置とリモート端末装置とから構成される通信システムにおいて、前記通信端末装置に着信する通話相手の音声を認証する音声認証方法であって、前記通信端末装置は、着信した通話相手を指定する指定ステップと、前記指定された通話相手の情報と前記通話相手の受信音声を前記リモート端末装置に送信する送信ステップと、前記リモート端末装置から送信される前記通話相手の照合結果を受信して通知する通知ステップと、を有し、前記リモート端末装置は、複数の通話相手毎に音声サンプルを保存手段に保存する保存ステップと、前記通信端末装置から送信される通話相手の情報と前記通話相手の受信音声を受信する受信ステップと、前記受信された通話相手の情報により前記保存手段から該当する通話相手の音声サンプルを読み出し、前記通話相手の受信音声と照合して照合結果を出力する照合ステップと、前記照合結果を前記通信端末装置に送信する送信ステップと、を有する。
【００２４】
この方法により、通信端末装置同士において、着信した通話相手の音声により本人確認を確実に行うことができ、悪意のある者との通話を未然に防止することができる。また、音声サンプルと音声照合機能をリモート端末装置側に持たせるため、音声照合機能のアップグレードと音声サンプルの蓄積を容易にすることができるとともに、通信端末装置のリソースをほとんど用いることなく、通信端末装置の小型・軽量化を維持することができる。
【００２５】
本発明の音声認証方法は、通信端末装置とリモート端末装置とから構成される通信システムにおいて、前記通信端末装置に着信する通話相手の音声を認証する音声認証方法であって、前記通信端末装置は、複数の通話相手毎に音声サンプルを保存手段に保存する保存ステップと、着信した通話相手を指定する指定ステップと、前記指定された通話相手の音声サンプルを前記保存手段から読み出し、前記通話相手の受信音声とともに前記リモート端末装置に送信する送信ステップと、前記リモート端末装置から送信される前記通話相手の照合結果を受信して通知する通知ステップと、を有し、前記リモート端末装置は、前記通信端末装置から送信される通話相手の音声サンプルと前記通話相手の受信音声を受信する受信ステップと、前記受信された通話相手の音声サンプルと前記通話相手の受信音声を照合して照合結果を出力する照合ステップと、前記照合結果を前記通信端末装置に送信する送信ステップと、を有する。
【００２６】
この方法により、通信端末装置同士において、着信した通話相手の音声により本人確認を確実に行うことができ、悪意のある者との通話を未然に防止することができる。また、リモート端末装置側に音声照合機能を持たせたため、複数の通信端末装置ユーザが音声照合アプリケーションを共有することができ、音声照合機能のアップグレードや変更を容易にすることができる。
【００２７】
本発明の音声認証方法は、通信端末装置とリモート端末装置とから構成される通信システムにおいて、前記通信端末装置に着信する通話相手の音声を認証する音声認証方法であって、前記通信端末装置は、着信した通話相手を指定する指定ステップと、前記通話相手の情報を前記リモート端末装置に送信する送信ステップと、前記送信した前記通話相手の情報に応じて、前記リモート端末装置から送信される当該通話相手の音声サンプルを受信する受信ステップと、前記受信手段により受信された通話相手の音声サンプルを前記通話相手の受信音声と照合して、照合結果を出力する照合ステップと、前記照合結果を通知する通知ステップと、を有し、前記リモート端末装置は、複数の通話相手毎に音声サンプルを保存手段に保存する保存ステップと、前記通信端末装置から送信される通話相手の情報を受信する受信ステップと、前記受信された通話相手の情報に該当する通話相手の音声サンプルを前記保存手段から読み出して前記通信端末装置に送信する送信ステップと、を有する。
【００２８】
この方法により、通信端末装置同士において、着信した通話相手の音声により本人確認を確実に行うことができ、悪意のある者との通話を未然に防止することができる。また、リモート端末装置側に音声データサンプル保存機能を備えたため、複数の通信端末装置ユーザが音声サンプル保存機能を共有することができ、通信端末装置側に音声サンプルを保存するためのメモリを省略することができ、通信端末装置が搭載するメモリ容量を削減することができる。
【発明の効果】
【００２９】
本発明によれば、通信端末装置同士において、着信した通話相手の音声により本人確認を確実に行うことができ、悪意のある者との通話を未然に防止することができる。
【発明を実施するための最良の形態】
【００３０】
本発明の骨子は、通信端末装置同士において、着信した通話相手の音声により本人確認を確実に行うことを可能にし、悪意のある者との通話を未然に防止することを可能にすることである。
【００３１】
以下、本発明の実施の形態について図面を参照して詳細に説明する。
【００３２】
（実施の形態１）
本実施の形態１では、本発明の通信端末装置を携帯電話装置に適用した場合を説明する。図１は、本実施の形態１に係る携帯電話システムのシステム構成を示す図、図２は、携帯電話装置に搭載された音声認証機能を示すブロック図である。
【００３３】
図１の携帯電話システムは、発信側となるユーザＡの携帯電話装置１００と、着信側となるユーザＢの携帯電話装置２００とが、ネットワークＮを介して接続された場合を示している。なお、この場合、携帯電話システムとして必要な無線基地局等の構成は、省略している。
【００３４】
図２は、携帯電話装置２００に搭載された音声認証機能を主に示すブロック図であり、ユーザ指定入力部２０１と、音声データサンプル保存部２０２と、音声照合部２０３と、表示部２０４と、通信部２０５とから主に構成されている。
【００３５】
ユーザ指定入力部２０１は、着信後の通話開始時に、ユーザＢが通話相手（この場合、ユーザＡ）を指定するための操作キーを備え、ユーザ指定信号（例えば、電話帳に登録された名前や登録番号等を含む）を音声データサンプル保存部２０２に出力する。ユーザ指定の入力方法は、操作キー以外に音声によって指定するようにしてもよい。
【００３６】
音声データサンプル保存部２０２は、複数の通話相手の音声サンプルデータを、通話相手の識別情報（例えば、電話帳に登録された名前や登録番号等）と対応付けて保存するメモリであり、この場合、ユーザＡの音声サンプルデータは予め保存されているものとする。音声サンプルデータを保存するタイミングは、ユーザＢの保存指示により任意のタイミングで行うようにしてもよい。音声サンプルデータを保存するタイミングを任意に指定可能とすることにより、通話相手に音声サンプルを登録する手間を取らせることなく、任意の音声を音声サンプルデータとして保存することができる。音声データサンプル保存部２０２は、ユーザ指定入力部２０１から入力されたユーザ指定信号（例えば、電話帳に登録された名前や登録番号等を含む）に応じて、対応する音声サンプルデータを読み出し、該当サンプル信号として音声照合部２０３に出力する。
【００３７】
音声照合部２０３は、音声データサンプル保存部２０２から入力される該当サンプル信号と、通信部２０５から入力される受信音声信号とを照合し、その照合結果を照合結果信号として表示部２０４に出力する。音声照合部２０３は、該当サンプル信号と受信音声信号の各波形特性等を照合し、その類似度等により本人か否かを示す照合結果信号（例えば、ＯＫ，ＮＧ等）を出力する。
【００３８】
表示部２０４は、液晶表示パネル等により構成され、音声照合部２０３から入力される照合結果信号（例えば、ＯＫ，ＮＧ等）により認証結果として「ＯＫ」又は「ＮＧ」を表示して、ユーザＢに通話相手が本人か否かを通知する。
【００３９】
通信部２０５は、携帯電話システムに対応した通信機能を有し、携帯電話装置１００との間でネットワークＮを介して携帯電話システムに対応した通信コマンドの送受信と音声信号の送受信を行うとともに、受信音声信号を音声照合部２０３に出力する。
【００４０】
次に、携帯電話装置２００における動作について、図１及び図２を参照して説明する。
【００４１】
ユーザＡが携帯電話装置１００からユーザＢの携帯電話装置２００に発信し、ネットワークＮを介してユーザＢの携帯電話装置２００に着信し、その着信通知によりユーザＢがオフフック操作を行うと、ユーザＡとの通話が開始される。この時、ユーザＢは、通話を開始した直後にユーザＡの音声を聞いて、ユーザ指定入力部２０１をキー操作してユーザＡを指定すると、ユーザＡを指定するユーザ指定信号（例えば、電話帳に登録された名前や登録番号等を含む）が音声データサンプル保存部２０２に出力される。また、通信部２０５では、ユーザＡの携帯電話装置１００から受信した受信音声信号が音声照合部２０３に出力される。
【００４２】
音声データサンプル保存部２０２では、ユーザ指定入力部２０１から入力されたユーザ指定信号（例えば、電話帳に登録された名前や登録番号等を含む）に応じて、ユーザＡに対応する音声サンプルデータが読み出され、該当サンプル信号として音声照合部２０３に出力される。音声照合部２０３では、音声データサンプル保存部２０２から入力されたユーザＡの該当サンプル信号と、通信部２０５から入力された受信音声信号とが照合され、その照合結果が照合結果信号として表示部２０４に出力される。
【００４３】
表示部２０４では、音声照合部２０３から入力された照合結果信号（例えば、ＯＫ，ＮＧ等）により認証結果として「ＯＫ」又は「ＮＧ」が表示して、ユーザＢに通話相手であるユーザＡが本人か否かが通知される。この結果、ユーザＢは、表示部２０４に表示された認証結果を見て、通話を継続するか中断するかを直ちに判断することができる。
【００４４】
以上のように、本実施の形態の携帯電話装置２００では、通話相手の音声により本人か否かを認証する音声認証機能を備えたため、携帯電話装置同士の通話において通話相手の個人認証を確実に行うことができ、悪意のある者との通話を未然に防止することができ、成りすまし等により被害を被ることを確実に防止することができる。
【００４５】
なお、上記実施の形態では、携帯電話装置２００に音声認証機能を備えた場合を説明したが、携帯電話装置１００に備えることも可能である。また、携帯電話装置に限らず、固定電話装置や他の電話機能を備えた通信端末装置に備えることも可能である。
【００４６】
また、音声照合結果が「ＮＧ」の場合は、音声照合結果「ＮＧ」をトリガにして、携帯電話装置２００に予め登録された警察や警備会社等の外部のセキュリティ組織に、ユーザＡの情報（例えば、電話帳に登録された名前や電話番号等を含む）と、ユーザＡが本人でないこと等を含む警報情報を自動的に通報するようにしてもよい。この場合、携帯電話装置に適用した音声認識機能を、防犯にも役立てることができ、携帯電話装置の信頼性を向上させることができる。また、音声照合結果が「ＮＧ」の場合は、通話相手との会話を自動的に記録するようにすれば、その通話が犯罪行為であった場合に記録内容を証拠として採用することが容易にできる。
【００４７】
（実施の形態２）
本実施の形態２では、本発明の音声認証システムを適用した携帯電話システムに適用した場合を説明する。図３は、本実施の形態２に係る携帯電話システムのシステム構成を示す図、図４は、携帯電話装置及びリモート端末装置に搭載された音声認証機能を示すブロック図である。
【００４８】
図３の携帯電話システムは、発信側となるユーザＡの携帯電話装置１００と、着信側となるユーザＢの携帯電話装置３００と、リモート端末装置４００とが、ネットワークＮを介して接続された場合を示している。なお、この場合、携帯電話システムとして必要な無線基地局等の構成は、省略している。
【００４９】
図４は、携帯電話装置３００及びリモート端末装置４００に搭載された音声認証機能を主に示すブロック図であり、図２に示した携帯電話装置２００と同一構成部分には同一符号を付して、その説明を省略する。携帯電話装置３００は、ユーザ指定入力部２０１と、送信部３０１と、受信部３０２と、表示部２０４とから主に構成されている。リモート端末装置４００は、受信部４０１と、声データサンプル保存部４０２と、音声照合部４０３と、送信部４０４とから主に構成されている。なお、携帯電話装置３００及びリモート端末装置４００では、携帯電話装置３００とリモート端末装置４００との間で通信を実行する際に、送受信する情報を暗号化及び復号化するためのキーが、送信部３０１と受信部３０２及び受信部４０１と送信部４０４に各々保持されているものとする。
【００５０】
送信部３０１は、受信部３０２によりユーザＡの携帯電話装置１００から受信された受信音声信号と、ユーザ指定入力部２０１から入力されるユーザ指定信号（例えば、電話帳に登録された名前や登録番号等を含む）とを、上記キーを用いて暗号化して暗号化ファイルとして、ネットワークＮを介してリモート端末装置４００に送信する。
【００５１】
受信部３０２は、ユーザＡの携帯電話装置１００からネットワークＮを介して送信される音声信号を受信して、受信音声信号を送信部３０１に出力するとともに、リモート端末装置４００からネットワークＮを介して送信される暗号化ファイル（照合結果を含む）を受信し、その暗号化ファイルを上記キーを用いて照合結果を復号化して表示部２０４に出力する。
【００５２】
次に、リモート端末装置４００の構成について説明する。受信部４０１は、ユーザＢの携帯電話装置３００からネットワークＮを介して送信される暗号化ファイル（受信音声信号及びユーザ指定信号を含む）を受信し、その暗号化ファイルを上記キーを用いて受信音声信号及びユーザ指定信号を復号化し、ユーザ指定信号を音声データサンプル保存部４０２に出力するとともに、受信音声信号を音声照合部４０３に出力する。
【００５３】
音声データサンプル保存部４０２は、ユーザＢの複数の通話相手の音声サンプルデータを、通話相手の識別情報（例えば、電話帳に登録された名前や登録番号等）と対応付けて保存するメモリであり、この場合、ユーザＡの音声サンプルデータは予め保存されているものとする。音声サンプルデータを保存するタイミングは、ユーザＢの保存指示により任意のタイミングで行うようにしてもよい。音声サンプルデータを保存するタイミングを任意に指定可能とすることにより、通話相手に音声サンプルを登録する手間を取らせることなく、任意の音声を音声サンプルデータとして保存することができる。音声データサンプル保存部４０２は、受信部４０１から入力されたユーザ指定信号（例えば、電話帳に登録された名前や登録番号等を含む）の入力時に、対応する音声サンプルデータを読み出し、該当サンプル信号として音声照合部４０３に出力する。
【００５４】
音声照合部４０３は、音声データサンプル保存部４０２から入力される該当サンプル信号と、受信部４０１から入力される受信音声信号とを照合し、その照合結果を照合結果信号として送信部４０４に出力する。音声照合部４０３は、該当サンプル信号と受信音声信号の各波形特性等を照合し、その類似度等により本人か否かを示す照合結果信号（例えば、ＯＫ，ＮＧ等）を出力する。
【００５５】
送信部４０４は、声照合部４０３から入力される照合結果信号を、上記キーを用いて暗号化して暗号化ファイルとしてネットワークＮを介して携帯電話装置３００に送信する。
【００５６】
次に、携帯電話装置３００及びリモート端末装置４００における動作について、図３及び図４を参照して説明する。
【００５７】
ユーザＡが携帯電話装置１００からユーザＢの携帯電話装置３００に発信し、ネットワークＮを介してユーザＢの携帯電話装置３００に着信し、その着信通知によりユーザＢがオフフック操作を行うと、ユーザＡとの通話が開始される。この時、ユーザＢは、通話を開始した直後にユーザＡの音声を聞いて、ユーザ指定入力部２０１をキー操作してユーザＡを指定すると、ユーザＡを指定するユーザ指定信号（例えば、電話帳に登録された名前や登録番号等を含む）が送信部３０１に出力される。また、送信部３０１では、ユーザ指定入力部２０１からユーザ指定信号が入力され、ユーザＡの携帯電話装置１００から受信部３０２により受信された受信音声信号が入力されると、上記キーを用いてユーザ指定信号及び受信音声信号が暗号化され、暗号化ファイルとしてネットワークＮを介してリモート端末装置４００に送信される。
【００５８】
リモート端末装置４００の受信部４０１では、ユーザＢの携帯電話装置３００からネットワークＮを介して送信される暗号化ファイル（受信音声信号及びユーザ指定信号を含む）が受信され、上記キーを用いて暗号化ファイルから受信音声信号及びユーザ指定信号が復号化され、ユーザ指定信号が音声データサンプル保存部４０２に出力されるとともに、受信音声信号が音声照合部４０３に出力される。
【００５９】
音声データサンプル保存部４０２では、受信部４０１から入力されたユーザ指定信号（例えば、電話帳に登録された名前や登録番号等を含む）に応じて、ユーザＡに対応する音声サンプルデータが読み出され、該当サンプル信号として音声照合部４０３に出力される。音声照合部４０３では、音声データサンプル保存部４０２から入力されたユーザＡの該当サンプル信号と、受信部４０１から入力された受信音声信号とが照合され、その照合結果が照合結果信号として送信部４０４に出力される。
【００６０】
送信部４０４では、声照合部４０３から入力された照合結果信号が上記キーを用いて暗号化され、暗号化ファイルとしてネットワークＮを介して携帯電話装置３００に送信される。携帯電話装置３００の受信部３０２では、リモート端末装置４００からネットワークＮを介して送信される暗号化ファイルが受信されて、上記キーを用いて暗号化ファイルから照合結果信号が復号化されて表示部２０４に出力される。
【００６１】
表示部２０４では、受信部３０２から入力された照合結果信号（例えば、ＯＫ，ＮＧ等）により認証結果として「ＯＫ」又は「ＮＧ」が表示して、ユーザＢに通話相手であるユーザＡが本人か否かが通知される。この結果、ユーザＢは、表示部２０４に表示された認証結果を見て、通話を継続するか中断するかを直ちに判断することができる。
【００６２】
以上のように、本実施の形態の携帯電話システムでは、リモート端末装置４００に通話相手の音声により本人か否かを認証する音声認証機能を備えたため、携帯電話装置同士の通話において通話相手の個人認証を確実に行うことができ、悪意のある者との通話を未然に防止することができ、成りすまし等により被害を被ることを確実に防止することができる。
【００６３】
また、携帯電話装置３００とリモート端末装置４００との間で通信する際は、情報を暗号化して送受信するようにしたため、情報内容が第三者に漏洩することを防止することができ、携帯電話システムの信頼性を向上させることができる。また、音声照合結果が「ＮＧ」の場合は、音声照合結果「ＮＧ」をトリガにして、リモート端末装置４００に予め登録された警察や警備会社等のセキュリティ組織に、ユーザＡの情報（例えば、電話帳に登録された名前や電話番号等を含む）と、ユーザＡが本人でないこと等を含む警報情報を自動的に通報するようにしてもよい。この場合、携帯電話システムを防犯にも役立てることができ、携帯電話システムの信頼性を更に向上させることができる。また、音声照合結果が「ＮＧ」の場合は、通話相手との会話を携帯電話装置において自動的に記録するようにすれば、その通話が犯罪行為であった場合に記録内容を証拠として採用することが容易にできる。
【００６４】
また、音声サンプルと音声照合機能をリモート端末装置側に持たせたため、音声照合機能のアップグレードと音声サンプルの蓄積を容易にすることができるとともに、携帯電話装置のリソースをほとんど用いることなく、携帯電話装置の小型・軽量化を維持することができる。また、リモート端末装置は、ユーザＢが自ら用意するものでもよいし、既に別の者や会社等によって用意するものでもよい。例えば、ユーザＡが「Ｃ社の者です。」と名乗った場合は、ユーザＢはＣ社のリモート端末装置に音声照合を行わせることもできる。これにより、自分の知らない（音声サンプルデータを持っていない）相手との通話であっても、Ｃ社によってユーザＡの身元が保証されることになり、個人的な携帯電話装置同士の音声認証だけでなく、会社の社員同士、又は会社と個人との間でも携帯電話装置同士の音声認証サービスを提供することができる。
【００６５】
（実施の形態３）
本実施の形態３では、本発明の音声認証システムを適用した携帯電話システムに適用した場合を説明する。図５は、本実施の形態３に係る携帯電話システムのシステム構成を示す図、図６は、携帯電話装置及びリモート端末装置に搭載された音声認証機能を示すブロック図である。
【００６６】
図５の携帯電話システムは、発信側となるユーザＡの携帯電話装置１００と、着信側となるユーザＢの携帯電話装置５００と、リモート端末装置６００とが、ネットワークＮを介して接続された場合を示している。なお、この場合、携帯電話システムとして必要な無線基地局等の構成は、省略している。
【００６７】
図６は、携帯電話装置５００及びリモート端末装置６００に搭載された音声認証機能を主に示すブロック図であり、図２及び図４に示した携帯電話装置２００，４００と同一構成部分には同一符号を付して、その説明を省略する。携帯電話装置５００は、ユーザ指定入力部２０１と、音声データサンプル保存部２０２と、送信部５０１と、受信部３０２と、表示部２０４とから主に構成されている。リモート端末装置６００は、受信部６０１と、音声照合部６０２と、送信部６０３とから主に構成されている。なお、携帯電話装置５００及びリモート端末装置６００では、携帯電話装置５００とリモート端末装置６００との間で通信を実行する際に、送受信する情報を暗号化及び復号化するためのキーが、送信部５０１と受信部３０２及び受信部６０１と送信部６０３の各々に保持されているものとする。
【００６８】
携帯電話装置５００の送信部５０１は、受信部３０２によりユーザＡの携帯電話装置１００から受信された受信音声信号が入力され、音声データサンプル保存部２０２からユーザＡの該当サンプル信号が入力されると、上記キーを用いて暗号化して暗号化ファイルとして、ネットワークＮを介してリモート端末装置６００に送信する。
【００６９】
受信部６０１は、ユーザＢの携帯電話装置５００からネットワークＮを介して送信される暗号化ファイル（受信音声信号及び該当サンプル信号を含む）を受信して、上記キーを用いて暗号化ファイルから受信音声信号及び該当サンプル信号を復号化して音声照合部６０２に出力する。音声照合部６０２は、受信部６０１から入力される該当サンプル信号と受信音声信号とを照合し、その照合結果を照合結果信号として送信部６０３に出力する。音声照合部６０２は、該当サンプル信号と受信音声信号の各波形特性等を照合し、その類似度等により本人か否かを示す照合結果信号（例えば、ＯＫ，ＮＧ等）を出力する。送信部６０３は、音声照合部６０２から入力される照合結果信号を、上記キーを用いて暗号化して暗号化ファイルとしてネットワークＮを介して携帯電話装置５００に送信する。
【００７０】
以上の携帯電話システムの構成により、リモート端末装置６００に通話相手の音声を照合する音声照合機能を備えたため、携帯電話装置同士の通話において通話相手の個人認証を確実に行うことができ、悪意のある者との通話を未然に防止することができ、成りすまし等により被害を被ることを確実に防止することができる。また、リモート端末装置側に音声照合機能を持たせたため、複数の携帯電話装置ユーザが音声照合アプリケーションを共有することができ、音声照合機能のアップグレードや変更を容易にすることができる。
【００７１】
また、携帯電話装置５００とリモート端末装置６００との間で通信する際は、情報を暗号化して送受信するようにしたため、情報内容が第三者に漏洩することを防止することができ、携帯電話システムの信頼性を向上させることができる。また、音声照合結果が「ＮＧ」の場合は、音声照合結果「ＮＧ」をトリガにして、リモート端末装置６００に予め登録された警察や警備会社等のセキュリティ組織に、ユーザＡの情報（例えば、電話帳に登録された名前や電話番号等を含む）と、ユーザＡが本人でないこと等を含む警報情報を自動的に通報するようにしてもよい。この場合、携帯電話システムを防犯にも役立てることができ、携帯電話システムの信頼性を更に向上させることができる。また、音声照合結果が「ＮＧ」の場合は、通話相手との会話を携帯電話装置において自動的に記録するようにすれば、その通話が犯罪行為であった場合に記録内容を証拠として採用することが容易にできる。
【００７２】
（実施の形態４）
本実施の形態４では、本発明の音声認証システムを適用した携帯電話システムに適用した場合を説明する。図７は、本実施の形態４に係る携帯電話システムのシステム構成を示す図、図８は、携帯電話装置及びリモート端末装置に搭載された音声認証機能を示すブロック図である。
【００７３】
図７の携帯電話システムは、発信側となるユーザＡの携帯電話装置１００と、着信側となるユーザＢの携帯電話装置７００と、リモート端末装置８００とが、ネットワークＮを介して接続された場合を示している。なお、この場合、携帯電話システムとして必要な無線基地局等の構成は、省略している。
【００７４】
図７は、携帯電話装置７００及びリモート端末装置８００に搭載された音声認証機能を主に示すブロック図であり、図２及び図４に示した携帯電話装置２００，４００と同一構成部分には同一符号を付して、その説明を省略する。携帯電話装置７００は、ユーザ指定入力部２０１と、音声照合部２０３と、送信部７０１と、受信部７０２と、表示部２０４とから主に構成されている。リモート端末装置８００は、受信部８０１と、音声データサンプル保存部８０２と、送信部８０３とから主に構成されている。なお、携帯電話装置７００及びリモート端末装置８００では、携帯電話装置７００とリモート端末装置８００との間で通信を実行する際に、送受信する情報を暗号化及び復号化するためのキーが、送信部７０１と受信部７０２及び受信部８０１と送信部８０３の各々に保持されているものとする。
【００７５】
携帯電話装置７００の送信部７０１は、ユーザ指定入力部２０１から入力されるユーザ指定信号を、上記キーを用いて暗号化し暗号化ファイルとしてネットワークＮを介してリモート端末装置８００に送信する。
【００７６】
リモート端末装置８００の受信部８０１は、ユーザＢの携帯電話装置７００からネットワークＮを介して送信される暗号化ファイル（ユーザ指定信号を含む）を受信し、上記キーを用いて暗号化ファイルからユーザ指定信号を復号化して音声データサンプル保存部８０２に出力する。音声データサンプル保存部８０２は、受信部８０１から入力されたユーザ指定信号（例えば、電話帳に登録された名前や登録番号等を含む）に応じて、ユーザＡに対応する音声サンプルデータを読み出し、該当サンプル信号として送信部８０３に出力する。送信部８０３は、音声データサンプル保存部８０２から入力された該当サンプル信号を上記キーを用いて暗号化し暗号化ファイルとしてネットワークＮを介して携帯電話装置７００に送信する。
【００７７】
携帯電話装置７００の受信部７０２は、ユーザＡの携帯電話装置１００からネットワークＮを介して送信される音声信号を受信し、その受信音声信号を音声照合部２０３に出力する。また、受信部７０２は、リモート端末装置８００からネットワークＮを介して送信される暗号化ファイル（ユーザＡの該当サンプル信号を含む）を受信し、上記キーを用いて暗号化ファイルから該当サンプル信号を復号化して音声照合部２０３に出力する。
【００７８】
以上の携帯電話システムの構成により、リモート端末装置８００に通話相手の音声サンプルを保存する音声データサンプル保存機能を備え、携帯電話装置７００に通話相手の音声が本人か否かを認識する音声認識機能を備えたため、携帯電話装置同士の通話において通話相手の個人認証を確実に行うことができ、悪意のある者との通話を未然に防止することができ、成りすまし等により被害を被ることを確実に防止することができる。
【００７９】
また、リモート端末装置側に音声データサンプル保存機能を備えたため、複数の携帯電話装置ユーザが音声サンプル保存機能を共有することができ、携帯電話装置側に音声サンプルを保存するためのメモリを省略することができ、携帯電話装置が搭載するメモリ容量を削減することができる。
【００８０】
また、携帯電話装置７００とリモート端末装置８００との間で通信する際は、情報を暗号化して送受信するようにしたため、情報内容が第三者に漏洩することを防止することができ、携帯電話システムの信頼性を向上させることができる。また、音声照合結果が「ＮＧ」の場合は、音声照合結果「ＮＧ」をトリガにして、リモート端末装置８００に予め登録された警察や警備会社等のセキュリティ組織に、ユーザＡの情報（例えば、電話帳に登録された名前や電話番号等を含む）と、ユーザＡが本人でないこと等を含む警報情報を自動的に通報するようにしてもよい。この場合、携帯電話システムを防犯にも役立てることができ、携帯電話システムの信頼性を更に向上させることができる。また、音声照合結果が「ＮＧ」の場合は、通話相手との会話を携帯電話装置において自動的に記録するようにすれば、その通話が犯罪行為であった場合に証拠として記録内容を採用することが容易にできる。
【産業上の利用可能性】
【００８１】
本発明は、通信端末装置同士の通話において、着信した通話相手の音声により本人確認を確実に行い、悪意のある者との通話を未然に防止することである。
【図面の簡単な説明】
【００８２】
【図１】本発明の実施の形態１に係る携帯電話システムの構成を示す図
【図２】本実施の形態１における携帯電話装置の内部構成を示すブロック図
【図３】本発明の実施の形態２に係る携帯電話システムの構成を示す図
【図４】本実施の形態２における携帯電話装置及びリモート端末装置の内部構成を示すブロック図
【図５】本発明の実施の形態３に係る携帯電話システムの構成を示す図
【図６】本実施の形態３における携帯電話装置及びリモート端末装置の内部構成を示すブロック図
【図７】本発明の実施の形態４に係る携帯電話システムの構成を示す図
【図８】本実施の形態４における携帯電話装置及びリモート端末装置の内部構成を示すブロック図
【符号の説明】
【００８３】
１００、２００、３００、５００、７００  携帯電話装置
２０１  ユーザ指定入力部
２０２、４０２、８０２  音声データサンプル保存部
２０３、４０３、６０２  音声照合部
２０４  表示部
２０５  通信部
３０２、４０１、６０１、７０２、８０１  受信部
３０１、４０４、５０１、６０３、７０１、８０３  送信部
４００、６００、８００  リモート端末装置
【図１】
2005184618.tif 000003
【図２】
2005184618.tif 000004
【図３】
2005184618.tif 000005
【図４】
2005184618.tif 000006
【図５】
2005184618.tif 000007
【図６】
2005184618.tif 000008
【図７】
2005184618.tif 000009
【図８】
2005184618.tif 000010